(57)【要約】【課題】ミルクやシロップ等を収納した密封容器を開口する事を片手で可能とし、しかも指がミルクやシロップ等の収納物質で汚れることも無く、又、容器が横に倒れた場合でも、容器内部に残された少量の収納物質が外部に出て、周辺を汚す事の無いようにすることを課題とする。【解決手段】密封容器であって、該密封容器には、容器本体と、凸面状に形成された蓋体と、該蓋体の表面に切れ目と、を設け、該切れ目の両端を含む縦断面上に存在する、相対する２箇所の、蓋体と容器本体の胴部との境界近傍、を指で押すと、該切れ目より開口する事が出来る事を特徴とする。【選択図】図１
2004083127.tif 000002
【特許請求の範囲】
【請求項１】
密封容器であって、該密封容器には、容器本体と、凸面状に形成された蓋体と、該蓋体の表面に切れ目と、を設け、該切れ目の両端を含む縦断面上に存在する、相対する２箇所の、蓋体と容器本体の胴部との境界近傍、を指で押すと、該切れ目より開口する事が出来る事を特徴とする密封容器。
【請求項２】
前記密封容器において、容器本体と、蓋体と、の何れか一方、又は双方には、弾性を有する素材を含むことを特徴とする密封容器。
【請求項３】
請求項１、又は請求項２に記載の密封容器において、該容器は、横に倒れて水平面上で静止した場合、前記の切れ目の両端を結ぶ直線と、該水平面とは平行となるか、又は交角が４５度以下となる手段を有することを特徴とする密封容器。
【請求項４】
請求項３記載の密封容器において、前記手段は、胴部の形状を、横断面で見た場合、前記の切れ目の両端を含む縦断面の方向に長い形状とした点と、該縦断面上の、相対する２箇所の、胴部表面の近傍を、外部に向けて凸状に形成した点と、を特徴とする密封容器。
【請求項５】
請求項３記載の密封容器において、前記手段は、胴部の形状を、前記の切れ目の両端を含む縦断面上に焦点を有する楕円を集めて構成される楕円筒、又は該楕円筒に近い構造としたことを特徴とする密封容器。
【請求項６】
請求項３記載の密封容器において、前記手段は、前記の切れ目の両端を含む縦断面で分割される、左右の胴部を非対称とし、該密封容器の重心は、該切れ目を含む縦断面上に存在しないことを特徴とする密封容器。
【請求項７】
請求項３記載の密封容器において、前記手段は、比重が相互に異なる複数の素材を該密封容器に含み、該密封容器の重心は、前記の切れ目の両端を含む縦断面上に存在しないことを特徴とする密封容器。
【請求項８】
請求項１〜請求項７記載の密封容器において、蓋体は、切れ目の両端近傍を除く、前記切れ目において、上下に重なって接していることを特徴とする密封容器。
【発明の詳細な説明】
【０００１】
【発明の属する技術分野】
本発明は密封容器に関するものであって、例えば紅茶やコーヒー用のミルク、シロップなどや、粉末状物質、粒状物質などにも用いることの出来る、密封容器に関するものである。
【０００２】
【従来の技術】
従来、紅茶やコーヒーに、ミルクやシロップなどを注ぐ場合には、それらを入れた密封容器から、該容器上部のシールを開封する事が必要であり、その際、指を汚してしまうという欠点を改善した発明もすでになされている。（特開平９−９９９４４）
【０００３】
ところが、シールを開封する場合、通常は両手が必要である。また、容器が倒れた場合、容器内部に残ったミルクやシロップなどが、開口部より外部に流れ出るという点は未解決であった。
【０００４】
【発明が解決しようとする課題】
本発明は、これらの欠点を解決するもので、ミルクやシロップ等を収納した密封容器を開口する事を片手で可能とし、しかも指がミルクやシロップ等の収納物質で汚れることも無く、又、容器が横に倒れた場合でも、容器内部に残された少量の収納物質が外部に出て、周辺を汚す事の無いようにすることを課題とする。
【０００５】
【課題を解決するための手段】
上記の課題を解決する為に、請求項１の発明は、密封容器であって、該密封容器には、容器本体と、凸面状に形成された蓋体と、該蓋体の表面に切れ目と、を設け、該切れ目の両端を含む縦断面上に存在する、相対する２箇所の、蓋体と容器本体の胴部との境界近傍、を指で押すと、該切れ目より開口する事が出来る事を特徴とする。
【０００６】
又、請求項２の発明は、請求項１記載の密封容器において、容器本体と、蓋体と、の何れか一方、又は双方には、弾性を有する素材を含むことを特徴とする。
【０００７】
又、請求項３の発明は、請求項１、又は請求項２に記載の密封容器において、該容器は、横に倒れて水平面上で静止した場合、前記の切れ目の両端を結ぶ直線と、該水平面とは平行となるか、又は交角が４５度以下となる手段を有することを特徴とする。
【０００８】
又、請求項４の発明は、請求項３記載の密封容器において、前記手段は、胴部の形状を、横断面で見た場合、前記の切れ目の両端を含む縦断面の方向に長い形状とした点と、該縦断面上の、相対する２箇所の、胴部表面の近傍を、外部に向けて凸状に形成した点と、を特徴とする。
【０００９】
又、請求項５の発明は、請求項３記載の密封容器において、前記手段は、胴部の形状を、前記の切れ目の両端を含む縦断面上に焦点を有する楕円を集めて構成される楕円筒、又は該楕円筒に近い構造としたことを特徴とする。
【００１０】
又、請求項６の発明は、請求項３記載の密封容器において、前記手段は、前記の切れ目の両端を含む縦断面で分割される、左右の胴部を非対称とし、該密封容器の重心は、該切れ目を含む縦断面上に存在しないことを特徴とする。
【００１１】
又、請求項７の発明は、請求項３記載の密封容器において、前記手段は、比重が相互に異なる複数の素材を該密封容器に含み、該密封容器の重心は、前記の切れ目の両端を含む縦断面上に存在しないことを特徴とする。
【００１２】
又、請求項８の発明は、請求項１〜請求項７記載の密封容器において、蓋体は、切れ目の両端近傍を除く、前記切れ目において、上下に重なって接していることを特徴とする。
【００１３】
本発明の密封容器は、凸面状に形成された蓋体の表面に切れ目を設け、該切れ目の両端を含む縦断面上に存在する、相対する２箇所の、蓋体と容器本体の胴部との境界近傍、を指で押すと、該切れ目より開口する事が出来る様になっている為、片手で開口が可能である。
【００１４】
又、密封容器を開口する際、該開口部に指が接触しない構造の為、指がミルクやシロップ等の収納物質で汚れる事を防ぐことができる。
【００１５】
前記切れ目の両端を含む縦断面上に存在する、相対する２箇所の、蓋体と容器本体の胴部との境界近傍、を指で押すと、該切れ目の中央付近では、特に強い力で開口する力が働き、突出した形状の注ぎ口が形成されるため、ミルク等の収納物質をスムースに容器から排出することができる。
【００１６】
又、容器本体と、蓋体と、の何れか一方、又は双方には、弾性を有する素材を含むことにより、ミルク等を注ぎ終えてから指を離すと、前記の開口部を閉じようとする力が働く為、該容器が横に倒れても、容器内部に残された少量の収納物質が外部に出る事を防ぐことができる。
【００１７】
又、前記の切れ目は胴部上部の胴周まで至らず、数ミリメートルを残す形状とすれば、一層こぼれにくくすることが出来る。
【００１８】
さらに、本発明の密封容器は、横に倒れて水平面上で静止した場合、前記の切れ目の両端を結ぶ直線と、該水平面とは平行となるか、又は交角が４５度以下となる手段を有することにより、この点でも、容器内部に残された少量の収納物質が外部に流れ出るのを防ぐ事に役立つ。
【００１９】
【発明の実施の形態】
以下、図面に従って、本発明の実施例について具体的に説明する。
【００２０】
第一実施例は、請求項１、請求項２、請求項３、請求項４に対応するものである。
【００２１】
図１は、第一実施例の密封容器の外観を示している。
【００２２】
又、図２は、第一実施例の密封容器の正面図を示している。
【００２３】
又、図３は、第一実施例の密封容器の平面図を示している。
【００２４】
すなわち、第一実施例の密封容器は、容器本体１と、凸面状に形成された蓋体２と、該蓋体の表面には稜線に沿って設けられた切れ目３と、を設け、該切れ目３の両端を含む縦断面上に存在する、相対する２箇所の、蓋体と容器本体の胴部との境界近傍４と５、を指で押すと、該切れ目３より開口する事が出来る事を特徴としている。
【００２５】
第一実施例の蓋体２は、図３の平面図で見た場合、菱形に似た形をしていて、前記の境界近傍４と５と、を指で押した時の力が、該蓋体の凸面中央部方向や、蓋体の外周方向へ充分伝わる硬度を有する素材を含んでいる。
【００２６】
又、該容器本体１は、弾性を有する素材を含んでいる。
【００２７】
さらに、第一実施例の密封容器は、請求項３における手段として、胴部の形状を、前記の切れ目３の両端を含む縦断面の方向に長い、菱形に近い構造としたことを特徴としている。
【００２８】
図４は、第一実施例の密封容器が、開口した場合の外観を示している。
【００２９】
又、図５は、前記境界近傍４と５と、を押した場合の、主な力の関係を、平面図で示している。
【００３０】
すなわち、該密封容器において、前記の境界近傍４と５と、を指で押すと、図５の矢印で示した、蓋体の中央部に向かう力は、隆起する方向へも働き、他方、蓋体の外周方向への力で、切れ目の中央付近には、６、７の方向の力が働き、図４の開口部８を出現させることとなる。
【００３１】
第一実施例の密封容器は図１〜図５に従って説明した構造である為、片手で開口することが出来、その際、指がミルクやシロップ等に触れることが無い為、指が汚れる事を防ぐ事が出来る。
【００３２】
又、第一実施例の密封容器は、容器本体１に弾性を有する素材、例えば、ポリエチレンテレフタレートなどを使用すれば、使用後に指を容器から離すと、今度は、開口部を閉じる方向の力が働き、容器内部に残された少量の収納物質が外部に出て、周辺を汚す事を防ぐことが出来る。
【００３３】
さらに、該密封容器が使用後に倒れても、胴部を、菱形に近い構造とした事により、前記の切れ目の両端を結ぶ直線と、該水平面とは交角が４５度以下となる為、前記の開口部が完全に閉じていない場合でも、容器内部に残された少量の収納物質が外部に出る事を防ぐことに役立つ。
【００３４】
第二実施例は、請求項１、請求項３、請求項５、請求項８に対応するものである。
【００３５】
図６は、第二実施例の密封容器を平面図で示している。
【００３６】
又、図７は、第二実施例の密封容器を開口した場合の外観を示している。
【００３７】
すなわち、第二実施例の密封容器は、胴部の形状を、切れ目の両端を含む縦断面上に焦点を有する楕円を集めて構成される楕円筒、又は該楕円筒に近い構造となっている。
【００３８】
又、第二実施例の密封容器は、図６のように、切れ目の両端近傍を除く、切れ目において、左側の蓋体の裏側に、点線で示した右側の蓋体９が、重なって接していて、弱い力でも開口できるように、互いに接着されている構造としたことを特徴とする。
【００３９】
第二実施例の密封容器はこのような形状をしている為、該容器が横に倒れた場合でも、前記の切れ目の両端を結ぶ直線は、水平面と平行に近い状態で静止する為、容器内部に残された少量の収納物質が、外部に出る事を防ぐのに役立つ。
【００４０】
又、第二実施例の密封容器は、前記の特徴により、該切れ目の両端を含む縦断面上に存在する、相対する２箇所の、蓋体と容器本体の胴部との境界近傍１０と１１と、を指で押すと、該切れ目より容易に開口部１２を出現させることが出来る。
【００４１】
なお、本発明は上記少数の実施例に限定されるものではなく、例えば以下の様な実施例も包含している。
【００４２】
例えば、前記第一実施例の、請求項３における手段として、前記の切れ目の両端を含む縦断面で分割される、左右の胴部を非対称としてもよい（請求項６）。すなわち、該密封容器の重心は、該切れ目を含む縦断面上に存在しないことを利用しても、前記の手段が実現できる。
【００４３】
また、前記第一実施例の手段は、比重が相互に異なる複数の素材を利用してもよい（請求項７）。比重が他に比べて重い素材を前記の切れ目を含む縦断面から出来るだけ離して胴部に組み込む事で、同様の手段が実現できる。
【００４４】
なお、本発明の密封容器の材料は、プラスチック材料や、公知の他の任意の材料などでも、条件を満たせば用いることができる。
【００４５】
一方、本発明では、該容器の色彩等は自由であるので、例えば、胴部表面に指で押す箇所をマークすることも良いし、切れ目を分かり易くする線を入れる事なども自由である。
【００４６】
なお、本発明の密封容器における、容器本体と蓋体に同一素材を使用し、それらをシームレスに一体化した構造にすることも、自由である。
【００４７】
又、本発明の密封容器において、開口することを容易にする為に、切れ目より完全に開口した後、弱い力でも再び開口することが出来る材料等で、切れ目を再度塞いでも良い。
【００４８】
本発明の密封容器は、以上のような特徴や構造を有する為、ミルクやシロップ等の収納以外にも、ドレッシングや、醤油、酢等の液体調味料や、砂糖、塩、胡椒、唐辛子等、粉末状の物質や、粒状の物質、その他、種子、釘やネジなどの部品などを収納する場合にも適用することが出来る。
【００４９】
【発明の効果】
このように本発明の密封容器では、ミルクやシロップなどを収納した密封容器を開口する事が片手で、しかもワンタッチで可能な為、立ったままでもコーヒー等にミルクなどを入れて、楽しむことが出来る。
【００５０】
さらに、指がミルクやシロップ等に触れて汚れる事も無く、又、容器が倒れた場合でも、余ったミルクやシロップ等により周辺が汚れる事を防ぐことが出来る。
【００５１】
従って、指先やコーヒー皿、テーブル等を汚さずに済み、水や洗剤等の節約にもなるものである。
【００５２】
又、収納する物質は液体に限らず、粉末状の物質や、粒状の物質、などでも適用出来るなど、応用範囲は広い。
【００５３】
さらに、本発明の密封容器は、構造が簡単な為、製造のコストダウンも可能となるものである。
【図面の簡単な説明】
【図１】第一実施例の密封容器の外観。
【図２】第一実施例の密封容器の正面図。
【図３】第一実施例の密封容器の平面図。
【図４】第一実施例の密封容器を開口した場合の外観。
【図５】第一実施例の密封容器の平面図における力の関係。
【図６】第二実施例の密封容器の平面図。
【図７】第二実施例の密封容器を開口した場合の外観。
【符号の説明】
１　　　　　容器本体
２　　　　　蓋体
３　　　　　切れ目
４〜５　　　蓋体と容器本体の胴部との境界近傍
６〜７　　　開口する方向の力
８　　　　　開口部
９　　　　　右側の蓋体
１０〜１１　蓋体と容器本体の胴部との境界近傍
１２　　　　開口部
【図１】
2004083127.tif 000003
【図２】
2004083127.tif 000004
【図３】
2004083127.tif 000005
【図４】
2004083127.tif 000006
【図５】
2004083127.tif 000007
【図６】
2004083127.tif 000008
【図７】
2004083127.tif 000009